(57)【要約】【課題】  初期運用時に使用しないチャンネルを含めた光伝搬経路に関する導通試験を、従来技術の場合よりも容易に行なう。【解決手段】  波長多重信号光が入力されない状態において、該波長多重信号光の波長帯を全て含む自然放出光を波長分離部６へ出力させるように前置増幅器５を制御する前置増幅器制御部１２１と、波長分離部６で波長分離された前置増幅器５からの自然放出光について、光パワーをモニタするパワーモニタ８ｂ−１，８ｂ−２，１１ａと、パワーモニタにおけるモニタ結果に基づいて、各波長成分の光伝搬経路について導通状態を判定する判定部１２４と、をなえるように構成する。【選択図】        図３
2006333136.tif 000002
【特許請求の範囲】
【請求項１】
伝送路を通じて入力される波長多重信号光について前置増幅する前置増幅器と、該前置増幅器で増幅された波長多重信号光について波長毎に分離する波長分離部と、を有する光伝送装置であって、
該波長多重信号光が入力されない状態において、該波長多重信号光の波長帯を全て含む自然放出光を該波長分離部へ出力させるように該前置増幅器を制御する前置増幅器制御部と、
該波長分離部で波長分離された該前置増幅器からの自然放出光について、光パワーをモニタする光パワーモニタと、
該光パワーモニタにおけるモニタ結果に基づいて、該波長分離部で分離された各波長成分の光伝搬経路について導通状態を判定する判定部と、をそなえて構成されたことを特徴とする光伝送装置。
【請求項２】
入力伝送路を通じて入力される波長多重信号光について前置増幅する前置増幅器と、該前置増幅器からの波長多重信号光について波長分離する波長分離部と、該波長分離部で波長分離した波長毎の信号光についての分岐挿入処理を行なう分岐挿入処理部と、該分岐挿入処理部よりも下流側に設けられ、該分岐挿入処理が行なわれ出力伝送路を通じて出力すべき波長毎の信号光を波長多重する多重部と、をそなえてなる光伝送装置であって、
該波長多重信号光が入力されない状態において、該分岐挿入処理部において出力方路切替が行なわれる対象の波長帯を全て含む自然放出光を出力させるように該前置増幅器を制御する第１制御部と、
該第１制御部での制御により該前置増幅器から出力され該波長分離部で波長分離された自然放出光の各波長成分についてはそのまま該多重部へ向けて出力されるように該分岐挿入処理部を制御する第２制御部と、
該第２制御部での制御により該分岐挿入処理部から出力された自然放出光における各波長成分の光パワーを検出する光パワーモニタと、
該光パワーモニタにおけるモニタ結果に基づいて、該光パワーモニタよりも上流側における各波長成分の光伝搬経路について導通状態を判定する判定部と、をそなえて構成されたことを特徴とする光伝送装置。
【請求項３】
該分岐挿入処理部からの各波長成分の光パワーを可変減衰させる可変減衰器をそなえるとともに、
該光パワーモニタが、
該分岐挿入処理部から出力された自然放出光における各波長成分の光パワーを、該可変減衰器よりも上流側でモニタする第１光パワーモニタと、
該分岐挿入処理部から出力された自然放出光における各波長成分の光パワーを、該多重部において波長多重された自然放出光からモニタする第２光パワーモニタと、
該多重部よりも上流側において該可変減衰器で減衰された各波長成分の光パワーについてモニタする第３パワーモニタと、をそなえ
かつ、該第１および第３パワーモニタでのモニタ結果に基づいて該可変減衰器での減衰量を各波長成分について一定とするように該可変減衰器を制御する減衰量一定制御部をそなえるとともに、
該判定部が、
該第１光パワーモニタにおけるモニタ結果に基づいて、該第１光パワーモニタよりも上流側における各波長成分の光伝搬経路について導通状態を判定する第１判定部と、
第２光パワーモニタにおけるモニタ結果に基づいて、該第２光パワーモニタよりも上流側でかつ該第３パワーモニタよりも下流側における各波長成分の光伝搬経路について導通状態を判定する第２判定部と、をそなえたことを特徴とする、請求項２記載の光伝送装置。
【請求項４】
該分岐挿入処理部からの各波長成分の光パワーを可変減衰させる可変減衰器をそなえるとともに、
該光パワーモニタが、
該分岐挿入処理部から出力された自然放出光における各波長成分の光パワーを、該可変減衰器よりも上流側でモニタする第１光パワーモニタと、
該分岐挿入処理部から出力された自然放出光における各波長成分の光パワーを、該多重部よりも下流側でモニタする第２光パワーモニタと、
該多重部よりも上流側において該可変減衰器で減衰された各波長成分の光パワーについてモニタする第３パワーモニタと、をそなえ、
かつ、該第２光パワーモニタでのモニタ結果に基づいて、該第２光パワーモニタでモニタされる各波長成分の光パワーを均一化するように該可変減衰器での減衰量を制御するパワー均一化制御部をそなえるとともに、
該判定部が、
該第１光パワーモニタにおけるモニタ結果に基づいて、該第１光パワーモニタよりも上流側における各波長成分の光伝搬経路について導通状態を判定する第１判定部と、
該第２光パワーモニタでのモニタ結果に基づいて制御される該可変減衰器での減衰量を、該第１および第３パワーモニタでのモニタ結果から測定し、該測定結果をもとに、該第２光パワーモニタよりも上流側でかつ該第３光パワーモニタよりも下流側における各波長成分の光伝搬経路について導通状態を判定する第２判定部と、をそなえたことを特徴とする、請求項２記載の光伝送装置。
【請求項５】
該分岐挿入処理部が、該波長分離部で波長分離した波長毎の信号光について伝送入力ポートを通じて入力されて、それぞれ、該多重部へ通じる伝送出力ポートか又は分岐ポートのいずれか一方に選択的に出力するとともに、分岐処理により該分岐ポートを通じて出力される波長成分については、挿入処理により挿入ポートからの信号光を該伝送出力ポートを通じて出力すべく構成され、
該第２制御部は、該第１制御部での制御により該前置増幅器から出力された自然放出光の各波長成分については、該伝送入力ポートを通じて入力され、該伝送出力ポートを通じて出力するように該分岐挿入処理部を制御することを特徴とする、請求項２記載の光伝送装置。
【請求項６】
該分岐ポートと該挿入ポートとを折り返し接続するとともに、
該第２制御部は、該第１制御部での制御により該前置増幅器から出力された自然放出光の各波長成分については、該伝送入力ポートを通じて入力され、該分岐ポートでの分岐および挿入ポートでの挿入を介し、該伝送出力ポートを通じて出力するように該分岐挿入処理部を制御することを特徴とする、請求項５記載の光伝送装置。
【請求項７】
該前置増幅器が、励起光により励起された光ファイバにより入力光を増幅しうるファイバ増幅器により構成され、
該第１制御部が、
該波長多重信号光が入力されない状態において、該励起光を、該ファイバ増幅器をなす光ファイバに供給制御することにより、該自然放出光を発生させる励起光供給制御部をそなえて構成されたことを特徴とする、請求項２記載の光伝送装置。
【請求項８】
伝送路を通じて入力される波長多重信号光について前置増幅する前置増幅器と、該前置増幅器で増幅された波長多重信号光について波長毎に分離する波長分離部と、を有する光伝送装置の導通試験方法であって、
該波長多重信号光が入力されない状態において、該前置増幅器から自然放出光を出力させ、
該前置増幅器から出力された自然放出光について該波長分離部において波長毎に分離させ、
該波長分離部で波長分離された自然放出光が伝搬する光経路上において、該分離された波長ごとの光パワーをモニタするとともに、
該モニタの結果に基づいて、該波長分離部で分離された自然放出光が伝搬する光経路の導通状態を判定することを特徴とする、光伝送装置の導通試験方法。
【請求項９】
入力伝送路を通じて入力される波長多重信号光について前置増幅する前置増幅器と、該前置増幅器からの波長多重信号光について波長分離する波長分離部と、該波長分離部で波長分離した波長毎の信号光についての分岐挿入処理を行なう分岐挿入処理部と、該分岐挿入処理部よりも下流側に設けられ、該分岐挿入処理が行なわれ出力伝送路を通じて出力すべき波長毎の信号光を波長多重する多重部と、をそなえてなる光伝送装置の導通試験方法であって、
該波長多重信号光が入力されない状態において、該分岐挿入処理部において出力方路切替が行なわれる対象の波長帯を全て含む自然放出光を出力させるように該前置増幅器を制御し、
該前置増幅器から出力され該波長分離部で波長分離された自然放出光の各波長成分についてはそのまま該多重部に向けて出力されるように該分岐挿入処理部を制御し、
該分岐挿入処理部から出力された自然放出光における各波長成分の光パワーをモニタし、
該自然放出光における各波長成分の光パワーのモニタ結果に基づいて、当該光パワーをモニタする箇所よりも上流側における各波長成分の光伝搬経路について導通状態を判定することを特徴とする、光伝送装置の導通試験方法。
【請求項１０】
入力伝送路を通じて入力される波長多重信号光について前置増幅する前置増幅器と、該前置増幅器からの波長多重信号光について波長分離する波長分離部と、該波長分離部で波長分離した波長毎の信号光についての分岐挿入処理を行なう分岐挿入処理部と、該分岐挿入処理部よりも下流側に設けられ、該分岐挿入処理が行なわれ伝送路を通じて出力すべき波長毎の信号光を波長多重する多重部と、をそなえてなる第１光伝送装置が、該入力伝送路を通じて第２光伝送装置に接続された光伝送システムであって、
該第１光伝送装置が、
該第２光伝送装置から該波長多重信号光が入力されない状態において、該分岐挿入処理部において出力方路切替が行なわれる対象の波長帯を全て含む自然放出光を出力させるように該前置増幅器を制御する第１制御部と、
該第１制御部での制御により該前置増幅器から出力され該波長分離部で波長分離された自然放出光の各波長成分についてはそのまま該多重部へ向けて出力されるように該分岐挿入処理部を制御する第２制御部と、
該第２制御部での制御により該分岐挿入処理部から出力された自然放出光における各波長成分の光パワーを検出する光パワーモニタと、
該光パワーモニタにおけるモニタ結果に基づいて、該光パワーモニタよりも上流側における各波長成分の光伝搬経路について導通状態を判定する判定部と、をそなえて構成されたことを特徴とする光伝送システム。
【発明の詳細な説明】
【技術分野】
【０００１】
本発明は、光波長多重（ＷＤＭ：Wavelength Division Multiplexing）機能を有する光通信システムにおいて用いて好適の、光伝送装置およびその導通試験方法並びに光伝送システムに関するものである。
【背景技術】
【０００２】
ＷＤＭ機能を有する光通信ネットワークにおいては、最近の通信トラフィックの急激な増加により、従来の長距離系（ロングホール）のネットワークのみならず地域(メトロ)網にもＤＷＤＭ（Dense WDM: 高密度光波長多重伝送）技術が導入されつつある。ＷＤＭネットワークにおいては、波長多重されるチャンネルの分岐または挿入を行うための光分岐挿入装置（ＯＡＤＭ：Optical Add Drop Multiplexer）が、ノードとして適宜配置されるようになっている。
【０００３】
特に、メトロ網におけるＷＤＭネットワークにおいては、ＯＡＤＭノードをリング内に多数配置するようなネットワーク構成を採用する場合が多く、今後のネットワーク規模の拡大に伴って、このようなリング内に配置されるＯＡＤＭノードはさらに増加することが予測されている。
図１１は上述のＷＤＭネットワークに使用される一般的なＯＡＤＭノードの構成を示す図である。この図１１に示すＯＡＤＭノード１００は、光コンポーネントとして、前置増幅器１０１，光デマルチプレクサ１０２，光クロスコネクト部１０３，可変減衰器（ＶＯＡ：Variable Optical Attenuator）１０４，光マルチプレクサ１０５および後置増幅器１０６をそなえている。
【０００４】
ここで、伝送路１０７を通じてＯＡＤＭノード１００に入力された波長多重信号は、前置増幅器１０１によって増幅された後、光デマルチプレクサ１０２において各波長に分波される。又、光クロスコネクト部１０３は、光デマルチプレクサ１０２において分波された各波長成分を後段のＶＯＡ１０４側か又はドロップポートＤＰ側のいずれかに選択的に出力する。そして、光デマルチプレクサ１０２において分波された波長成分がドロップポートに出力された場合には、対応する波長成分の光をアドポートＡＰを通じてＶＯＡ１０４側に出力させることができるようになっている。
【０００５】
また、ＶＯＡ１０４は、光クロスコネクト部１０３から出力された各波長成分について可変減衰させることによりレベル調整し、光マルチプレクサ１０５は、ＶＯＡ１０４からの各波長成分の光を波長多重するようになっている。そして、後置増幅器１０６は、光マルチプレクサ１０５からの波長多重光を必要に応じて増幅し、これにより、分岐挿入処理が行なわれた波長多重信号光を、伝送路１０８を通じて出力させることができるようになる。
【０００６】
以下に示す特許文献１においては、上述の光クロスコネクト部１０３に相当する機能を、光デマルチプレクサ１０２において分波される波長に対応した数の２×２の光スイッチをそなえて構成するとともに、ＶＯＡ１０４に、各波長成分のパワーについて所定の一定値に自動的に保つ出力一定制御機能をそなえることとした技術について記載されている。
上述の図１１に示すように、ＯＡＤＭノード１００は、種々の光コンポーネント（符号１０１〜１０６参照）によって構成されているが、これらの光コンポーネントを光学的に接続するためには、光コネクタによる接続を採用する場合が一般的に多い。この光コネクタによる接続を採用する場合には、コネクタ接合表面に付着する汚れなどによる接合損失や反射量が増加する場合があり、このような接合損失や反射量が大きい場合、ビットエラーレートなど伝送品質の低下の切断を引き起こす原因となる。
【０００７】
一方で、波長数およびリング内に配置されるノード数が増加するに従って、ＯＡＤＭノード１００として、このような光コネクタによる接続点も急激に増加することになる。例えば、波長数４０波、リングネットワーク内に配置されるＯＡＤＭノード数を２０ノードとする場合には、リングネットワーク内における光コネクタなどによるノード内部の接続ポイント数は、ＯＡＤＭノードの箇所だけでも３０００ヶ所以上となることが導かれる。
【０００８】
したがって、このようなエラー原因となりうる光コネクタの箇所について導通試験を行なうことは装置の性能確認のために重要であるが、搭載箇所数が膨大となるだけに、全ての搭載箇所につき導通試験を行なうこととするならば、その作業工数も膨大となる。ＯＡＤＭノード以外の光装置においても、波長多重光信号を波長分離する機能を含むものについては同様の導通試験に際しての膨大な作業負荷が生じうる。
【０００９】
この点、実際には、ＷＤＭを実回線に導入するにあたっては、運用初期における波長数はせいぜい１０波程度の場合がほとんどであることから、初期立ち上げ時に使用するチャンネルの通信用に設けられている光コンポーネントを通じた光伝搬経路に関する導通試験についてのみ、ＷＤＭシステムと共に導入され接続されるトランスポンダなどの送受信機を用いることにより、信号の疎通を確認（導通確認）することが行なわれている。
【００１０】
具体的には、各チャンネルの波長を有する光を導通確認用に光伝搬経路に出力するために、波長可変レーザなどの光出力素子を別途設けるとともに、この波長可変レーザについて適宜出力光波長を制御しながら、光伝搬経路を伝搬した光についてトランスポンダで受信状態を確認することにより、各波長チャンネルについての光伝搬経路の導通確認を行なっている。
【００１１】
但し、このトランスポンダによる導通確認を行なう手法においては、初期運用時においては、使用しないチャンネル分のトランスポンダを搭載することは想定しにくいため、初期運用時は使用しない他のチャンネルの通信用に設けられている光コンポーネントを通じた光伝搬経路についての光伝搬経路の導通確認については行なうことは困難である場合が多いと考えられる。
【００１２】
この場合においては、装置の運用を開始した後、トラフィックの増加に伴い運用チャンネルを増設する際などにおいて、新たに搭載されるトランスポンダによる導通確認を行なうが、この確認作業によって、個別の光チャンネルの通信用に設けられる光コンポーネントを通じた光伝搬経路について導通異常がある場合には、該当チャンネルについての光コンポーネントを接続する光コネクタ箇所のクリーニング等の必要な導通修復作業を実施することになる。
【特許文献１】特開２０００−４２１３号公報
【発明の開示】
【発明が解決しようとする課題】
【００１３】
しかしながら、このようなコネクタ接合面のクリーニングなどのメンテナンス作業は、波長多重された信号を一括増幅するための光アンプを使用するシステムでは、多くの場合、全チャンネルの疎通を一旦停止する必要がある。即ち、運用チャンネルを増設する度に、異常が生じていないチャンネルの通信についても、他のチャンネルにおける必要な導通修復作業を行なうために停止させなければならない。このようなチャンネルの増設の度に運用中の通信チャンネルを停止させることは、通信の安定化のため極力避けることが求められる。
【００１４】
上述のごときコネクタのクリーニング作業などを運用開始後に行なう必要が生じる可能性を少なくするには、やはり、初期運用時に使用しないチャンネルについても、システム導入時に収容可能な全てのチャンネルについての光伝搬経路の導通確認を一括して試験しておくことが望ましい。尚、ノードとしての運用を行なうにあたっては、このような光コネクタについての導通確認を行なうだけでなく、光学部材自体の異常についても、光伝搬経路上での光の導通の支障となりうるものであり、もちろん検出できるようにしておくことが望ましい。
【００１５】
しかしながら、従来においては、上述したように各チャンネルの波長を有する光を導通試験用に出力しうる波長可変レーザなどの素子を別途準備する必要があり、導通試験機能をノード装置に搭載する場合のコスト面での負担が増大するほか、この波長可変レーザについての制御を行なう必要がある点で立ち上げ作業者への作業負担が増すので、商用運用までに時間がかかるという課題もある。
【００１６】
本発明は、このような課題に鑑み創案されたもので、初期運用時に使用しないチャンネルを含め、収容可能な全てのチャンネルについての通信用に設けられている光コンポーネントを通じた光伝搬経路に関する導通試験を、従来技術の場合よりも容易に行なうことができるようにすることを目的とする。
また、収容可能な全てのチャンネルについての光伝搬経路の導通試験を、従来技術の場合よりも短時間で行なうことができるようにすることを目的とする。
【００１７】
さらに、収容可能な全てのチャンネルについての光伝搬経路の導通試験を、従来技術の場合よりも低コストで行なうことができるようにすることを目的とする。
【課題を解決するための手段】
【００１８】
このため、本発明の光伝送装置は、伝送路を通じて入力される波長多重信号光について前置増幅する前置増幅器と、該前置増幅器で増幅された波長多重信号光について波長毎に分離する波長分離部と、を有する光伝送装置であって、該波長多重信号光が入力されない状態において、該波長多重信号光の波長帯を全て含む自然放出光を該波長分離部へ出力させるように該前置増幅器を制御する前置増幅器制御部と、該波長分離部で波長分離された該前置増幅器からの自然放出光について、光パワーをモニタするパワーモニタと、該パワーモニタにおけるモニタ結果に基づいて、該波長分離部で分離された各波長成分の光伝搬経路について導通状態を判定する判定部と、をそなえて構成されたことを特徴としている。
【００１９】
また、本発明の光伝送装置は、入力伝送路を通じて入力される波長多重信号光について前置増幅する前置増幅器と、該前置増幅器からの波長多重信号光について波長分離する波長分離部と、該波長分離部で波長分離した波長毎の信号光についての分岐挿入処理を行なう分岐挿入処理部と、該分岐挿入処理部よりも下流側に設けられ、該分岐挿入処理が行なわれ出力伝送路を通じて出力すべき波長毎の信号光を波長多重する多重部と、をそなえてなる光伝送装置であって、該波長多重信号光が入力されない状態において、該分岐挿入処理部において出力方路切替が行なわれる対象の波長帯を全て含む自然放出光を出力させるように該前置増幅器を制御する第１制御部と、該第１制御部での制御により該前置増幅器から出力され該波長分離部で波長分離された自然放出光の各波長成分についてはそのまま該多重部へ向けて出力されるように該分岐挿入処理部を制御する第２制御部と、該第２制御部での制御により該分岐挿入処理部から出力された自然放出光における各波長成分の光パワーを検出する光パワーモニタと、該光パワーモニタにおけるモニタ結果に基づいて、該光パワーモニタよりも上流側における各波長成分の光伝搬経路について導通状態を判定する判定部と、をそなえて構成されたことを特徴としている。
【００２０】
さらに、好ましくは、該分岐挿入処理部からの各波長成分の光パワーを可変減衰させる可変減衰器をそなえるとともに、該光パワーモニタが、該分岐挿入処理部から出力された自然放出光における各波長成分の光パワーを、該可変減衰器よりも上流側でモニタする第１光パワーモニタと、該分岐挿入処理部から出力された自然放出光における各波長成分の光パワーを、該多重部において波長多重された自然放出光からモニタする第２光パワーモニタと、該多重部よりも上流側において該可変減衰器で減衰された各波長成分の光パワーについてモニタする第３パワーモニタと、をそなえ、かつ、該第１および第３パワーモニタでのモニタ結果に基づいて該可変減衰器での減衰量を各波長成分について一定とするように該可変減衰器を制御する減衰量一定制御部をそなえるとともに、該判定部が、該第１光パワーモニタにおけるモニタ結果に基づいて、該第１光パワーモニタよりも上流側における各波長成分の光伝搬経路について導通状態を判定する第１判定部と、第２光パワーモニタにおけるモニタ結果に基づいて、該第２光パワーモニタよりも上流側でかつ該第３パワーモニタよりも下流側における各波長成分の光伝搬経路について導通状態を判定する第２判定部と、をそなえることとしてもよい。
【００２１】
また、該分岐挿入処理部からの各波長成分の光パワーを可変減衰させる可変減衰器をそなえるとともに、該光パワーモニタが、該分岐挿入処理部から出力された自然放出光における各波長成分の光パワーを、該可変減衰器よりも上流側でモニタする第１光パワーモニタと、該分岐挿入処理部から出力された自然放出光における各波長成分の光パワーを、該多重部よりも下流側でモニタする第２光パワーモニタと、該多重部よりも上流側において該可変減衰器で減衰された各波長成分の光パワーについてモニタする第３パワーモニタと、をそなえ、かつ、該第２光パワーモニタでのモニタ結果に基づいて、該第２光パワーモニタでモニタされる各波長成分の光パワーを均一化するように該可変減衰器での減衰量を制御するパワー均一化制御部をそなえるとともに、該判定部が、該第１光パワーモニタにおけるモニタ結果に基づいて、該第１光パワーモニタよりも上流側における各波長成分の光伝搬経路について導通状態を判定する第１判定部と、該第２光パワーモニタでのモニタ結果に基づいて制御される該可変減衰器での減衰量を、該第１および第３パワーモニタでのモニタ結果から測定し、該測定結果をもとに、該第２光パワーモニタよりも上流側でかつ該第３光パワーモニタよりも下流側における各波長成分の光伝搬経路について導通状態を判定する第２判定部と、をそなえることとしてもよい。
【００２２】
さらに、該分岐挿入処理部が、該波長分離部で波長分離した波長毎の信号光について伝送入力ポートを通じて入力されて、それぞれ、該多重部へ通じる伝送出力ポートか又は分岐ポートのいずれか一方に選択的に出力するとともに、分岐処理により該分岐ポートを通じて出力される波長成分については、挿入処理により挿入ポートからの信号光を該伝送出力ポートを通じて出力すべく構成され、該第２制御部は、該第１制御部での制御により該前置増幅器から出力された自然放出光の各波長成分については、該伝送入力ポートを通じて入力され、該伝送出力ポートを通じて出力するように該分岐挿入処理部を制御することもできる。
【００２３】
また、該分岐ポートと該挿入ポートとを折り返し接続するとともに、該第２制御部は、該第１制御部での制御により該前置増幅器から出力された自然放出光の各波長成分については、該伝送入力ポートを通じて入力され、該分岐ポートでの分岐および挿入ポートでの挿入を介し、該伝送出力ポートを通じて出力するように該分岐挿入処理部を制御することもできる。
【００２４】
さらに、該前置増幅器が、励起光により励起された光ファイバにより入力光を増幅しうるファイバ増幅器により構成され、該第１制御部が、該波長多重信号光が入力されない状態において、該励起光を、該ファイバ増幅器をなす光ファイバに供給制御することにより、該自然放出光を発生させる励起光供給制御部をそなえて構成することもできる。
また、本発明の光伝送装置の導通試験方法は、伝送路を通じて入力される波長多重信号光について前置増幅する前置増幅器と、該前置増幅器で増幅された波長多重信号光について波長毎に分離する波長分離部と、を有する光伝送装置の導通試験方法であって、該波長多重信号光が入力されない状態において、該前置増幅器から自然放出光を出力させ、該前置増幅器から出力された自然放出光について該波長分離部において波長毎に分離させ、該波長分離部で波長分離された自然放出光が伝搬する光経路上において、該分離された波長ごとの光パワーをモニタするとともに、該モニタの結果に基づいて、該波長分離部で分離された自然放出光が伝搬する光経路の導通状態を判定することを特徴としている。
【００２５】
さらに、本発明の光伝送装置の導通試験方法は、入力伝送路を通じて入力される波長多重信号光について前置増幅する前置増幅器と、該前置増幅器からの波長多重信号光について波長分離する波長分離部と、該波長分離部で波長分離した波長毎の信号光についての分岐挿入処理を行なう分岐挿入処理部と、該分岐挿入処理部よりも下流側に設けられ、該分岐挿入処理が行なわれ出力伝送路を通じて出力すべき波長毎の信号光を波長多重する多重部と、をそなえてなる光伝送装置の導通試験方法であって、該波長多重信号光が入力されない状態において、該分岐挿入処理部において出力方路切替が行なわれる対象の波長帯を全て含む自然放出光を出力させるように該前置増幅器を制御し、該前置増幅器から出力され該波長分離部で波長分離された自然放出光の各波長成分についてはそのまま該多重部に向けて出力されるように該分岐挿入処理部を制御し、該分岐挿入処理部から出力された自然放出光における各波長成分の光パワーをモニタし、該自然放出光における各波長成分の光パワーのモニタ結果に基づいて、当該光パワーをモニタする箇所よりも上流側における各波長成分の光伝搬経路について導通状態を判定することを特徴としている。
【００２６】
さらに、本発明の光伝送システムは、入力伝送路を通じて入力される波長多重信号光について前置増幅する前置増幅器と、該前置増幅器からの波長多重信号光について波長分離する波長分離部と、該波長分離部で波長分離した波長毎の信号光についての分岐挿入処理を行なう分岐挿入処理部と、該分岐挿入処理部よりも下流側に設けられ、該分岐挿入処理が行なわれ伝送路を通じて出力すべき波長毎の信号光を波長多重する多重部と、をそなえてなる第１光伝送装置が、該入力伝送路を通じて第２光伝送装置に接続された光伝送システムであって、該第１光伝送装置が、該第２光伝送装置から該波長多重信号光が入力されない状態において、該分岐挿入処理部において出力方路切替が行なわれる対象の波長帯を全て含む自然放出光を出力させるように該前置増幅器を制御する第１制御部と、該第１制御部での制御により該前置増幅器から出力され該波長分離部で波長分離された自然放出光の各波長成分についてはそのまま該多重部へ向けて出力されるように該分岐挿入処理部を制御する第２制御部と、該第２制御部での制御により該分岐挿入処理部から出力された自然放出光における各波長成分の光パワーを検出する光パワーモニタと、該光パワーモニタにおけるモニタ結果に基づいて、該光パワーモニタよりも上流側における各波長成分の光伝搬経路について導通状態を判定する判定部と、をそなえて構成されたことを特徴としている。
【発明の効果】
【００２７】
このように、本発明によれば、前置増幅器制御部，第１制御部により、自然放出光を導通試験用のプローブ光として使用すべく制御しているので、初期運用時に使用しないチャンネルを含め、収容可能な全てのチャンネルについての通信用に設けられている光コンポーネントを通じた光伝搬経路に関する導通試験を、従来技術の場合よりも容易に行なうことができるようにすることができる利点がある。
【００２８】
また、可変波長レーザ等を導通試験のために準備する必要がなくなるので、収容可能な全てのチャンネルについての光伝搬経路の導通試験を、従来技術の場合よりも短時間でかつ低コストで行なうことができる利点もある。
【発明を実施するための最良の形態】
【００２９】
以下、図面を参照することにより、本発明の実施の形態について説明する。
なお、上述の本願発明の目的のほか、他の技術的課題，その技術的課題を解決する手段及びその作用効果についても、以下の実施の形態による開示によって明らかとなるものである。
〔Ａ〕第１実施形態の説明
〔Ａ１〕本発明の第１実施形態における光伝送システムについて
図１は本発明の第１実施形態にかかる光伝送システム１を示す図である。この図１に示す光伝送システム１は、メトロ網におけるＷＤＭネットワークをなすリングネットワークの一部をなすものであって、波長多重されるチャンネルの分岐または挿入を行なうための２つのＯＡＤＭ装置（第１，第２ＯＡＤＭ装置２，３）が伝送路４−１，４−２を介して縦続接続されている。
【００３０】
ここで、この図１に示すＯＡＤＭ装置２，３は、前述の図１１に示すものと基本的に同様の光分岐挿入機能をそなえているが、第１ＯＡＤＭ装置２については、波長多重信号光についての各チャンネル単位の光伝搬経路（即ち第１ＯＡＤＭ装置２における各チャンネル単位に設けられている光学部品の光学的結合からなる経路）についての導通確認を行なうための特徴的な構成をそなえている。又、第２ＯＡＤＭ装置３についても、第１ＯＡＤＭ装置２におけるチャンネル単位の光伝搬経路についての導通確認を行なう際に当該第１ＯＡＤＭ装置２と協働して動作するための構成をそなえている。
【００３１】
たとえば、リングネットワークに図１に示す第１ＯＡＤＭ装置２を組み込むにあたり、組み込み当初の収容チャンネルのみならず、第１ＯＡＤＭ装置２として収容可能な全てのチャンネルに対応した光伝搬経路についても導通確認を行なうことができるようになっている。この導通確認によって、各光学部材の配置が適正であることを前提として、各光学部材の接続ポイントについての導通状態とともに、第１ＯＡＤＭ装置２をなす光学部材についての導通状態についても確認を行なうことができるようになっている。
【００３２】
〔Ａ２〕波長多重信号光についての分岐挿入処理のための構成について
まず、光伝送システム１をなす第１，第２ＯＡＤＭ装置２，３の構成に関し、波長多重信号光についての分岐挿入処理のための構成に着目した構成について説明する。
第１ＯＡＤＭ装置２は、上り方向における入力側の伝送路４−１を介して第２ＯＡＤＭ装置３に接続され、第２ＯＡＤＭ装置３から送信され伝送路４−１を通じて送られてくる上り方向の波長多重信号光について、信号光のチャンネル単位での分岐又は挿入を行なうものである。同様に、第２ＯＡＤＭ装置３は、リングネットワークをなす上り回線の伝送路４−１から入力される上り方向の波長多重信号光について、信号光のチャンネル単位での分岐又は挿入を行なって下流側の第１ＯＡＤＭ装置２に出力するものである。
【００３３】
また、第１，第２ＯＡＤＭ装置２，３においては、上述の上り方向における波長多重信号光の分岐挿入処理を行なう構成に対応して、上り方向とは反対向きの下り方向を伝搬する波長多重信号光についての信号光のチャンネル単位での分岐挿入処理を行なう構成についても、同様にそなえることができる。
ここで、上り方向の信号光（上り回線の伝送路４−１を通じて伝送される信号光）についての分岐挿入処理を行なうための構成に着目すると、第１，第２ＯＡＤＭ装置２，３においては、光部品として、前置増幅器（プリアンプ）５，光波長分離部６，光クロスコネクト部７，光減衰部８１〜８ｎ，多重部９および後置増幅器（ポストアンプ）１０をそなえており、これらの光部品５〜１０は、図示しない光コネクタによって縦続して光学結合されている。尚、図１においては、第２ＯＡＤＭ装置３の光減衰部８１〜８ｎについては図示を省略している。
【００３４】
なお、第１，第２ＯＡＤＭ装置２，３においては、下り回線の伝送路４−２を通じて伝送される信号光についての分岐挿入処理を行なうための構成としても、上述の上り方向の分岐挿入処理を行なうための構成と基本的に同様の構成をそなえており、図示については省略している（第１ＯＡＤＭ装置２における２′，第２ＯＡＤＭ装置３における３′参照）。
【００３５】
ここで、第１ＯＡＤＭ装置２の前置増幅器５は、入力伝送路４を通じて入力される第２ＯＡＤＭ装置３からの波長多重信号光について前置増幅するものであって、例えば励起光により励起された光ファイバにより入力光を増幅しうるファイバ増幅器であるＥＤＦＡ（Erbium Doped Fiber Amplifier）により構成することができる。この前置増幅器５には、増幅媒体をなす光ファイバであるＥＤＦとともに、ＥＤＦに対して励起光を供給する機能およびＥＤＦで増幅される光についての利得を一定に制御する機能（ＧＥＱ：Gain Equalization）を含んで構成されている。
【００３６】
さらに、光波長分離部６は、前置増幅器５で増幅された波長多重信号光についてチャンネル単位の光波長成分に分離して、分離された信号光についてはそれぞれ光クロスコネクト部７へ出力するものであり、例えばＡＷＧ（Arrayed Waveguide Gratings）等により構成することができる。
そして、光クロスコネクト部７は、光波長分離部６で波長分離した波長毎の信号光についての分岐挿入処理を行なう分岐挿入処理部として機能するものであって、光波長分離部６からの信号光を波長ごとに入力される伝送入力ポートＴＩと、対応する波長ごとの信号光を出力側の光伝搬経路へ導くための伝送出力ポートＴＯと、をそなえるとともに、伝送入力ポートＴＩから入力された信号光のうちで分岐波長として設定されているものを分岐（分岐処理）するための分岐ポートＤＰと、分岐された波長に相当する波長の信号光を、伝送出力ポートＴＯを通じて送出すべき他の信号光の伝搬に挿入（挿入処理）するための挿入ポートＩＰと、をそなえている。
【００３７】
これにより、光波長分離部６からの波長（チャンネル）毎に分離された信号光については、当該波長ごとに設けられている伝送入力ポートＴＩを通じて入力されて、それぞれ、多重部９へ通じる伝送出力ポートＴＯか又は分岐ポートＤＰのいずれか一方に選択的に出力するとともに、分岐処理により分岐ポートＤＰを通じて出力される波長成分については、挿入処理により挿入ポートＩＰからの信号光を伝送出力ポートＴＯを通じて出力することができるようになっている。尚、分岐波長、挿入波長としての設定については、後述する制御回路１２を通じて個別に行なうことができるようになっている。
【００３８】
たとえば、波長λ１を分岐波長として設定されている場合には、光波長分離部６で波長分離した波長λ１の信号光については、伝送入力ポートＴＩから分岐ポートＤＰを通じて出力されるとともに、挿入ポートＩＰから対応する波長λ１の信号光について伝送出力ポートＴＯを通じて出力することができるようになっている。尚、この光クロスコネクト部７としての構成については、例えば前述の特許文献１に記載された構成とすることとしてもよいし、その他公知の構成を採用することとしてもよい。
【００３９】
そして、光光減衰部８１〜８ｎ（図１においては光光減衰部８１について図示している）は、それぞれ、光伝送路４を通じて送出すべき信号光として、伝送出力ポートＴＯを通じて出力されたチャンネル単位の信号光を光クロスコネクト部７から入力され、チャンネル単位の信号光についてパワーがほぼ一定となるように減衰させることができるようになっている。
【００４０】
たとえば、光光減衰部８１においては光クロスコネクト部７からの波長λ１の信号光について減衰させ、光光減衰部８ｉ（ｉ；２〜ｎ）は波長λｉの信号光について減衰させるようになっている。各光光減衰部８１〜８ｎは、可変減衰器（ＶＯＡ）８ａをそなえるとともに、可変減衰器８ａの入力側に第１ＰＤ部８ｂ−１を、可変減衰器８ａの出力側に第２ＰＤ部８ｂ−２を、それぞれそなえている。
【００４１】
第１ＰＤ部８ｂ−１および第２ＰＤ部８ｂ−２はそれぞれ、図２に示すように、分岐部８ｂａおよび光／電気変換部８ｂｂをそなえている。分岐部８ｂａは、光クロスコネクト部７からの波長チャンネル単位の信号光について分岐し、一方はそのまま後段の多重部９へ出力するとともに、他方については光／電気変換部８ｂｂへ出力するようになっている。又、光／電気変換部８ｂｂは、分岐部８ｂａで分岐された信号光のパワーを検出し、検出結果については後述の制御回路１２に出力されるようになっている。
【００４２】
これにより、第１ＰＤ部８ｂ−１においては可変減衰器８ａでの減衰前の信号光パワーについて検出することができ、第２ＰＤ部８ｂ−２は可変減衰器８での減衰後の信号光パワーについて検出することができる。そして、制御回路１２においては、各光光減衰部８１〜８ｎをなす第１，第２ＰＤ部８ｂ−１，８ｂ−２で検出された信号光パワーを入力されて、各光減衰部８１〜８ｎから出力される信号光のパワーを均一化させるように、各光減衰部８１〜８ｎにおける可変減衰器８ａについての減衰量を制御することができるようになっている。
【００４３】
さらに、波長多重部９は、光クロスコネクト部７よりも下流側の光路上に光光減衰部８１〜８ｎを介して設けられ、各光光減衰部８１〜８ｎにおいて可変減衰された信号光について波長多重するものであり、多重された信号光は、後置増幅器１０における必要な増幅処理が施された後に、出力側の伝送路４を通じて送出されるようになっている。
また、光スペクトラムアナライザ（ＯＳＡ：Optical Spectrum Analyzer）１１ａは、後置増幅器１０で増幅され光伝送路４を通じて伝送すべき波長多重信号光の一部について分岐部１１ｂを介して入力されて、入力された波長多重信号光についての波長スペクトラムごとの光パワーを検出するものである。尚、このＯＳＡ１１ａは、第１実施形態においては第１ＯＡＤＭ装置２についての光伝搬経路の導通試験を行なう際に主として適用するものであって、装置運用中においては適宜省略することもできる。
【００４４】
また、制御回路１２は、上述の光減衰部８１〜８ｎを制御する機能のほか、上り又は下り方向の伝送路４における監視制御用チャンネルを通じて、隣接するノード装置（この場合においては第２ＯＡＤＭ装置３）から制御情報を受け取るとともに隣接するノード装置（第２ＯＡＤＭ装置３）に対して制御情報を通知する機能をそなえている。
なお、制御回路１２による可変減衰器８ａを制御する機能としては、監視制御信号についての処理を行なう機能と分離して、各光光減衰部８１〜８ｎにおける可変減衰器８ａの減衰量を制御する専用の制御回路として構成してもよいし、当該専用の制御回路をそれぞれの光光減衰部８１〜８ｎに組み込んで構成することとしてもよい。
【００４５】
ここで、第１ＯＡＤＭ装置２の制御回路１２からの制御情報は、監視制御チャンネル（ＯＳＣ；Optical Supervisory Channel）用の電気／光変換部１３ａにおいて電気信号から光信号に変換され、下り回線の伝送路４−２を通じて第２ＯＡＤＭ装置３に出力されるようになっている。又、第２ＯＡＤＭ装置３側からの制御情報については、分岐部１３ｂで分岐された上り回線の伝送路４−１からの光をＯＳＣ用の光／電気変換部１３ｃで電気信号に変換し、監視制御チャンネルに変換された制御情報として制御回路１２で受け取ることができるようになっている。
【００４６】
第２ＯＡＤＭ装置３においても、第１ＯＡＤＭ装置２の構成に対応して、制御回路２２，上り回線４−１を通じた制御情報を電気信号から光信号に変換する電気／光変換部２３ａ，電気／光変換部２３ａからの光信号を伝送路４−１を通じて伝送すべき波長多重信号光に多重する多重部２３ｂおよび下り回線の伝送路４−２からの光について電気信号に変換する光／電気変換部２３ｃをそなえている。尚、図１中、多重部２３ｂに対応する第１ＯＡＤＭ装置２における光学部材、および、分岐部１３ｂに対応する第２ＯＡＤＭ装置３における光学部材については図示を省略している。
【００４７】
このように構成された光伝送システム１においては、第１，第２ＯＡＤＭ装置２，３では、上り回線の伝送路４−１又は下り回線の伝送路４−２を通じて伝送されてきた波長多重信号光について、それぞれ分岐挿入処理を行なうことができる。
なお、第２ＯＡＤＭ装置３は、伝送路４を通じて図示しない上流側光伝送装置から送られてくる波長多重信号光についてのチャンネルの分岐又は挿入を行なうものであって、この第２ＯＡＤＭ装置３においても、第１ＯＡＤＭ装置２と同様の光学部品（符号５〜７，９，１０，１１ａ，１１ｂ，８１〜８ｎ参照）をそなえて構成することができる。尚、図１中においては、光減衰部８１〜８ｎについての図示は省略されている。
【００４８】
〔Ａ３〕第１ＯＡＤＭ装置２をなす各チャンネル単位の光伝搬経路についての導通確認を行なうための構成について
第１実施形態における第１ＯＡＤＭ装置２においては、上述のごとき光伝送システム１として第１ＯＡＤＭ装置２をリングネットワークに組み込む（即ちＯＡＤＭノードとして運用を開始する）にあたって、又は光伝送システム１として運用中において必要がある場合には適宜に、第１ＯＡＤＭ装置２における光伝搬経路の導通状態を試験することができる。以下においては、第１ＯＡＤＭ装置２をなす各チャンネル単位の光伝搬経路についての導通確認を行なうための構成について、上り方向の光伝搬経路に着目して説明する。
【００４９】
図３は、光伝送システム１をなす第１ＯＡＤＭ装置２における光伝搬経路の導通状態を試験するための構成について、上り方向の光伝搬経路に着目して示す図である。この図３に示すように、第１ＯＡＤＭ装置２の制御回路１２においては、導通状態の試験をするための構成として、第１制御部１２１，第２制御部１２２，減衰量一定制御部１２３および判定部１２４をそなえている。
【００５０】
第１制御部１２１は、第２ＯＡＤＭ装置３から上り回線の伝送路４−１を通じて波長多重信号光が入力されない状態において、波長多重信号光の波長帯を全て含む自然放出光（ＡＳＥ光：Amplified Spontaneous Emission）を光波長分離部６へ出力させるように前置増幅器５を制御する前置増幅器制御部として機能するもので、送信停止要求部１２１ａ，応答受信部１２１ｂおよび励起光供給制御部１２１ｃをそなえている。
【００５１】
ここで、励起光供給制御部１２１ｃは、第１ＯＡＤＭ装置２をなす光伝搬経路についての導通試験のための光を前置増幅器５から出力させるために、前置増幅器５を制御するものである。即ち、前置増幅器５としてのファイバ増幅器を構成する光ファイバに、励起光を供給する制御を行なうようになっている。例えば、ファイバ増幅器として図示しないＥＤＦおよび励起光源を有するＥＤＦＡを用いる場合には、励起光がＥＤＦに供給されるように励起光源を制御する。
【００５２】
このとき、第２ＯＡＤＭ装置３からの波長多重信号光が前置増幅器５に入力されない状態において、励起光がＥＤＦに供給されると、自然放出光のみが出力されるようになる。そして、ファイバ増幅器を構成する光ファイバにおいて発生した自然放出光（ＡＳＥ光）は、当該前置増幅器５におけるＧＥＱ機能によりゲインが等化されて、ほぼパワーが均一化された光として出力することができるようになっている。
【００５３】
さらに、前置増幅器５から上述のごとく出力されるゲイン等化された自然放出光は、例えば図１，図４のＡに示すように、第１ＯＡＤＭ装置２として収容可能な波長帯域Ｂをカバーし且つほぼ一定のパワー分布とさせることが可能である。従って、この前置増幅器５からの自然放出光について波長分離部６でチャンネル対応の中心波長を持つ波長成分光に分離したものを導通試験のためのプローブ光として用いることとすれば（図１のＢ参照）、従来必要であった波長可変レーザが不要となるばかりでなく、前置増幅器５に対する励起光供給制御のみで、当初収容を予定していない波長を含む、第１ＯＡＤＭ装置２として収容可能な全ての波長についての光伝搬経路の導通試験を簡易に行なうことができるようになる。
【００５４】
すなわち、通常、ＷＤＭシステムに適用される光アンプには、利得の波長特性を平坦にするためのＧＥＱ(Gain Equalizer)を備えているので、波長分離部６に入力される波長特性の平坦なＡＳＥ光は、波長成分についての光伝搬経路の導通状態、特に伝搬経路中における光コネクタの状態を検出するためのプローブ光として利用するのに適している。そして、このＡＳＥ光が波長分離部６を通過することにより、波長分離部６による透過特性によって各チャンネルの中心波長にピークをもつ擬似的な光源を波長数分だけ一括して得ることができる（図４のλ１〜λｎ参照）。
【００５５】
また、応答受信部１２１ａおよび送信停止要求部１２１ｂは、上述の励起光供給制御部１２１ｃにおいて自然放出光を出力するための制御を行なう前段において、上流側の第２ＯＡＤＭ装置３からの波長多重信号光が当該第１ＯＡＤＭ装置２の前置増幅器５に入力されないようにするために、第２ＯＡＤＭ装置３との間での連絡を監視制御チャンネルを通じて行なうものである。
【００５６】
具体的には、送信停止要求部１２１ｂは、励起光供給制御部１２１ｃにより自然放出光を発生させる際に、入力伝送路４−１を介して接続される隣接光伝送装置である第２ＯＡＤＭ装置３に対し、波長多重信号光の入力伝送路４−１を通じた送信の停止を要求するものであり、応答受信部１２１ａは、送信停止要求部１２１ｂからの送信停止要求に対して、第２ＯＡＤＭ装置３からの波長多重信号光についての送信停止を完了した旨の応答を受けるものである。
【００５７】
そして、これらの送信停止要求部１２１ｂが第２ＯＡＤＭ装置３に対して行なう送信停止については、下り回線の伝送路４−２における監視制御チャンネルを通じて伝送され、応答受信部１２１ａで受信する第２ＯＡＤＭ装置３からの応答については、上り回線の伝送路４−１における監視制御チャンネルを通じて伝送される。尚、この応答受信部１２１ａで第２ＯＡＤＭ装置３からの応答を受けると、励起光供給制御部１２１ｃにおいては、励起光の供給制御を開始することになる。
【００５８】
また、第２制御部１２２は、光クロスコネクト部７についての分岐波長および挿入波長について設定制御しうるものであるが、第１実施形態における導通試験を行なうにあたっては、上述の応答受信部１２１ａでの応答を受けて、波長多重信号光が入力されない状態となってから、全てのチャンネルについてスルー設定となるように光クロスコネクト部７を制御するようになっている。
【００５９】
すなわち、第１制御部１２１での制御により前置増幅器５から出力された自然放出光は、波長分離部６で波長分離され、上述の図４のλ１〜λｎとして示すように、各チャンネルについての中心波長成分を有する波長成分光に分離される。このとき、第２制御部１２２が光クロスコネクト部７を制御することにより、これらの自然放出光の各波長成分についてはそのまま多重部９へ向けて出力されるようになっている。
【００６０】
そして、第１実施形態における導通試験においては、第１ＰＤ部８ｂ−１で、光クロスコネクト部７を通じて出力された自然放出光の各波長成分についての光パワーを、多重部９において多重される前段で個別に検出し、検出結果を制御回路１２の判定部１２４に出力する。又、ＯＳＡ１１ａにおいては、第１ＯＡＤＭ装置２における出力端（即ち上り回線の伝送路４−１へ出力される箇所）での波長多重光（図１のＣ参照）を分岐部１１ｂを介して入力されて、この波長多重光をなす各波長成分についての光パワーを、多重部９において多重された後で検出し、検出結果については判定部１２４に出力する。
【００６１】
したがって、上述の第１ＰＤ部８ｂ−１およびＯＳＡ１１ａにより、第２制御部１２２での制御により光クロスコネクト部７から出力された自然放出光における各波長成分の光パワーを検出する光パワーモニタとして構成され、更に、第１ＰＤ部８ｂ−１は、多重部９よりも上流側でモニタする第１光パワーモニタとして、ＯＳＡ１１ａは、多重部９よりも下流側でモニタする第２光パワーモニタとして構成される。
【００６２】
判定部１２４は、光パワーモニタをなす第１ＰＤ部８ｂ−１およびＯＳＡ１１ａにおけるモニタ結果に基づいて、各波長成分の光伝搬経路について導通状態を判定するものであり、第１ＰＤ部８ｂ−１からのモニタ結果に基づいて当該第１ＰＤ部８ｂ−１よりも上流側における各波長成分の光伝搬経路について導通状態を判定する第１判定部１２４ａと、ＯＳＡ１１ａからのモニタ結果に基づいて当該ＯＳＡ１１ａよりも上流側における各波長成分の光伝搬経路について導通状態を判定する第２判定部１２４ｂと、をそなえている。
【００６３】
また、第２ＰＤ部８ｂ−２は、前置増幅器５において自然放出光を出力する場合には、多重部９よりも上流側において可変減衰器８ａで減衰された各波長成分の光パワーについてモニタする第３パワーモニタとして構成される。即ち、制御回路１２の減衰量一定制御部１２３は、第１および第２ＰＤ部８ｂ−１，８ｂ−２でのモニタ結果に基づいて、可変減衰器８ａでの減衰量を各波長成分について一定とするように可変減衰器８ａを制御するようになっている。
【００６４】
また、第１ＰＤ部８ｂ−１よりも上流側の各波長成分の光伝搬経路について導通状態が良好であると第１判定部１２４ａにおいて判定された場合においては、前置増幅器５から出力される自然放出光は各波長成分の光パワーが均一化されていることもあり、当該第１ＰＤ部８ｂ−１に入力される自然放出光についても、各波長成分の光パワーは均一化されていると想定することができる。そして、光減衰部８１〜８ｎにおいては、各波長成分間で一定の減衰量を減衰させているので、各光減衰部８１〜８ｎから出力される自然放出光の光パワーについても均一化されていると想定することができる。
【００６５】
したがって、第１ＰＤ部８ｂ−１よりも上流側の各波長成分の光伝搬経路について導通状態が良好である場合には、減衰量一定制御部１２３による光減衰部８１〜８ｎをなす可変減衰器８ａに対する減衰量制御により、各光減衰部８１〜８ｎにおける第２ＰＤ部８ｂ−２をなす分岐部８ｂａから多重部９に向けて出力される各波長成分の光パワーについても一定となるので、第２判定部１２４ｂにおいては、当該第２ＰＤ部８ｂ−２よりも下流側についての導通状態の判定を行なうことができるようになる。
【００６６】
換言すれば、第１判定部１２４ａにおいては、前置増幅器５よりも下流側で第１ＰＤ部８ｂ−１よりも上流側における、各波長成分についての光伝搬経路についての導通状態を判定することができ、第２判定部１２４ｂにおいては、ＯＳＡ１１ａに入力される光が導かれる分岐部１１ｂよりも上流側で且つ第２ＰＤ部８ｂ−２よりも下流側における各波長成分の光伝搬経路についての導通状態を判定することができるのである。
【００６７】
ところで、第２ＯＡＤＭ装置３の制御回路２２においては、第１ＯＡＤＭ装置２の送信停止要求部１２１ｂからの送信停止要求を下り回線の伝送路４−２における監視制御チャンネルを通じて受け取る停止要求受信部２２ａと、停止要求受信部２２ａで受信した要求に従って、第１ＯＡＤＭ装置２への波長多重信号光の送信を停止処理する停止処理部２２ｂと、停止処理部２２ｂにおいて波長多重信号光の送信停止が完了すると、その旨を第１ＯＡＤＭ装置２への応答として、上り回線の伝送路４−１における監視制御チャンネルを通じて送信する応答送信部２２ｃと、をそなえている。
【００６８】
ここで、停止処理部２２ｂにおいては、例えば、第２ＯＡＤＭ装置３をなす光クロスコネクト部７に対して、伝送出力ポートから出力させる信号光を遮断制御することにより、第１ＯＡＤＭ装置２への波長多重信号光の送信を停止処理するようになっている。そして、応答送信部２２ｃから送信される応答を、前述の第１ＯＡＤＭ装置２における第１制御部１２１の応答受信部１２１ａで受信すると、前述したように、励起光供給制御部１２１ｃにおいて、光伝搬経路についての導通試験のための動作を開始するために、前置増幅器５に対してＡＳＥ光の出力制御を行なうことができる。
【００６９】
〔Ａ４〕第１ＯＡＤＭ装置２をなす各チャンネル単位の光伝搬経路についての導通試験の動作説明
上述の構成をそなえた第１実施形態における第１ＯＡＤＭ装置２においては、例えば図５のフローチャートに示すように、各チャンネル単位の光伝搬経路についての導通試験が行なわれる。
【００７０】
まず、第１制御部１２１の送信停止要求部１２１ｂにおいて、第２ＯＡＤＭ装置３に対して波長多重信号光の送信を停止する旨を要求する。具体的には、第１ＯＡＤＭ装置２から第２ＯＡＤＭ装置３に対してクロスコネクトの解除要求を送信する（ステップＡ１）。
第２ＯＡＤＭ装置３の制御回路２２においては、停止要求受信部２２ａで受信したクロスコネクト解除要求に従って、停止処理部２２ｂでクロスコネクト部７の解除処理を行ない、スルーさせる波長数をゼロとすることによって、波長多重信号光の第１ＯＡＤＭ装置２への出力を遮断させる。その後、応答送信部２２ｃにおいて完了通知を第１ＯＡＤＭ装置２に出力する（ステップＡ２）。
【００７１】
そして、第１ＯＡＤＭ装置２の第１制御部１２１では、応答受信部１２１ａにおいて波長多重信号光の送信遮断完了の応答を受信すると、励起光供給制御部１２１ｃにおいて、波長多重信号光が入力されない状態において、クロスコネクト部７において出力方路切替が行なわれる対象の波長帯を全て含む自然放出光を出力させるように前置増幅器５を制御する。
【００７２】
このようにして、上流の第２ＯＡＤＭ装置３における光クロスコネクト部７における伝送出力ポートを閉じることで、前置増幅器５から出力されるＡＳＥ光に主信号光を含まないようにする。そして、このときの自然放出光のレベルは、前置増幅器５のＧＥＱ機能を用いることにより、収容可能な全てのチャンネル帯域にわたって、予め設定された所定レベルに均一化させることができる（ステップＡ３）。
【００７３】
さらに、第２制御部１２２においては、前置増幅器５から出力され波長分離部６で波長分離された自然放出光の各波長成分についてはそのまま多重部９に向けて出力されるように光クロスコネクト部７を制御する。具体的には、光クロスコネクト部７の各チャンネルについての設定を全てスルーに設定する（ステップＡ４）。そして、光減衰部８１〜８ｎにおける可変減衰器８ａを全てクローズ設定として、下流側の多重部９にプローブ光としてのＡＳＥ光が漏れないような設定とする（ステップＡ５）。
【００７４】
上述の前置増幅器５に対する励起光供給制御とともに、光クロスコネクト部７および光減衰部８１〜８ｎにおける可変減衰器８ａの設定が完了すると、第１判定部１２４ａによる光レベルの収集を行なうこととなる（ステップＡ６）。尚、上述の前置増幅器５に対する励起光供給制御とともに、光クロスコネクト部７および光減衰部８１〜８ｎにおける可変減衰器８ａの設定の順序としては、第１実施形態以外の順序で行なうこととしてもよい。
【００７５】
ここで、光減衰部８１〜８ｎにおける第１ＰＤ部８ｂ−１においては、光クロスコネクト部７から出力された自然放出光における各波長成分の光パワーをモニタする。又、判定部１２４をなす第１判定部１２４ａにおいては、このモニタ結果に基づいて、当該光パワーをモニタする箇所よりも上流側における各波長成分の光伝搬経路について導通状態を判定する。
【００７６】
すなわち、第１判定部１２４ａでは、各第１ＰＤ部８ｂ−１からのモニタ結果に基づいて、各波長成分における光レベルについて予め設定された第１規定値との大小を判定し、いずれかの波長成分がこの規定値よりも小さいと判定された場合には、当該第１規定値よりも小さくなった波長成分についての光伝搬経路（前置増幅器５よりも下流で該当第１ＰＤ部８ｂ−１よりも上流の経路）の導通に異常があることを、チャンネル番号とともに導通試験の結果として通知する（ステップＡ７のＮＯルートからステップＡ８）。
【００７７】
すなわち、第１ＰＤ部８ｂ−１における光レベルが規定値以上にないチャンネルについては、前置増幅器５から第１ＰＤ部８ｂ−１の間になんらかの損失の大きな部分が存在すると判断し、その旨を通知し導通試験の終了とする。
このとき、第１判定部１２４ａにおいて、導通試験の結果として異常が生じていると判定された場合には、原因となる箇所を当該異常が生じているチャンネルについての光伝搬経路に特定することができる。例えば、例えば、波長λ１についてのチャンネルに異常が生じていると判定された場合は、前置増幅器５よりも下流で光減衰部８１よりも上流における、波長λ１についての光伝搬経路に原因となる箇所を特定することができる。
【００７８】
この場合においては、例えば、波長分離部６において分離された波長成分λ１が光クロスコネクト部７の対応入力ポートに導かれる経路上に設けられている光コネクタのほか、光クロスコネクト部７と光減衰部８１との接続のための光コネクタについて汚れ等を点検することができる。
また、各第１ＰＤ部８ｂ−１からのモニタ結果と上述の第１規定値との大小に基づいて、全ての波長成分についての光レベルが第１規定値よりも大きい以下である場合には、各第１ＰＤ部８ｂ−１よりも上流側の光伝搬経路は正常に導通し、特に光コネクタ等による損失状態についても正常な範囲内であると判定される（ステップＡ７のＹＥＳルート）。
【００７９】
第１判定部１２４ａにおいて、上述のごとく第１ＰＤ部８ｂ−１からのモニタ結果が正常であると判定された場合には、続いて減衰量一定制御部１２３による光減衰部８１〜８ｎの制御を行なう。
すなわち、減衰量一定制御部１２３においては、各光減衰部８１〜８ｎをなす第１ＰＤ部８ｂ−１からのモニタ結果とともに、第２ＰＤ部８ｂ−２からのモニタ結果を収集して（ステップＡ９）、これら収集したモニタ結果から、それぞれの光減衰部８１〜８ｎにおける現在の減衰量を取得する（ステップＡ１０）。
【００８０】
そして、減衰量一定制御部１２３においては、取得した各光減衰部８１〜８ｎの減衰量と予め設定された減衰量目標値との大小について判定し（ステップＡ１１）、取得した減衰量が減衰量目標値に到達していない場合には、当該光減衰部８１〜８ｎの可変減衰器８ａについて１ステップ分の制御量（単位制御量）だけ減衰量を増加させるようにフィードバック制御する（ステップＡ１２）。
【００８１】
以降、減衰量一定制御部１２３においては、第１ＰＤ部８ｂ−１および第２ＰＤ部８ｂ−２からのモニタ結果をもとに取得した減衰量が上述の減衰量目標値に到達するまで、１ステップの制御量ずつ減衰量を増加させてゆく（ステップＡ１１のＮＯルート，ステップ１２，ステップＡ９およびステップＡ１０からなる制御ループ参照）。そして、可変減衰器８ａの減衰量が減衰量目標値に到達したら、フィードバック制御を停止し、その状態で減衰量を固定する(VOA lock-up)。
【００８２】
すなわち、第１判定部８ｂ−１の判定結果が正常であると判定されている場合には、第１ＰＤ部８ｂ−１に入力されるまでのプローブ光としての自然放出光は、各波長成分間で光パワーが均一化されているということができるので、更に各光減衰部８１〜８ｎで一定の減衰量目標値で減衰量を固定することで、光減衰部８１〜８ｎから出力された自然放出光のパワーについても、波長成分間でほぼ均一化されているということができる。
【００８３】
上述のごとく光減衰部８１〜８ｎでの減衰量が一定に制御されると（ステップＡ１１のＹＥＳルート）、続いて、ＯＳＡ１１ａによるモニタ結果をもとに、第２ＰＤ部８ｂ−２よりも下流側の光伝搬経路についての導通試験を行なう。具体的には、第２判定部１２４ｂでは、多重部９よりも下流側に設けられたＯＳＡ１１ａから、多重部９で多重され後置増幅器１０で増幅されている各波長成分についての光パワーについてのモニタ結果を取得する（ステップＡ１３、図１のＤ参照）。
【００８４】
そして、第２判定部１２４ｂでは、取得した各波長成分についての光パワーをもとに、全チャンネルについての平均パワーを求めるとともに、求められた平均パワーと各波長成分の光パワーとの差が予め定められた第２規定値以内か否かを判定する（ステップＡ１４、図１のＥ参照）。
このとき、いずれかの波長成分の光パワーと平均パワーとの差が第２規定値以内の範囲から外れている場合には、導通試験の結果として、当該波長成分についての光伝搬経路について異常が生じていることを、当該波長成分に該当するチャンネル番号とともに通知する（ステップＡ１４のＮＯルートからステップＡ１５）。又、全ての波長成分と平均パワーとの差が第２規定値以内である場合には、導通試験の結果として、異常がなかったことを通知する（ステップＡ１４のＹＥＳルートからステップＡ１６）。
【００８５】
なお、導通試験の結果として異常が生じていると判定された場合には、第１ＯＡＤＭ装置２内部の光コネクタによる接合状態について第１に点検することができる。例えば、波長λ１についてのチャンネルに異常が生じていると判定された場合は、光減衰部８１と多重部９との接続のための光コネクタについて点検することができる。
また、ＯＳＡ１１ａによるモニタ結果をもとに、光減衰部８１〜８ｎ内部を除く第２ＰＤ部８ｂ−２よりも下流側についての光伝搬経路の導通試験を行なうことができるのは、光減衰部８１〜８ｎをなす各光部品８ｂ−１，８ｂ−２，８ａを接続する光コネクタ損失については、光光減衰部８１〜８ｎ自身での減衰量の設定制御を通じて影響が生じないようにしているからである。
【００８６】
このように、本発明の第１実施形態によれば、制御回路１２においてＡＳＥ光をプローブ光として使用すべく制御しているので、初期運用時に使用しないチャンネルを含め、収容可能な全てのチャンネルについての通信用に設けられている光コンポーネントを通じた光伝搬経路に関する導通試験を、従来技術の場合よりも容易に行なうことができるようにすることができる利点がある。
【００８７】
また、可変波長レーザ等を導通試験のために準備する必要がなくなるので、収容可能な全てのチャンネルについての光伝搬経路の導通試験を、従来技術の場合よりも短時間でかつ低コストで行なうことができる利点もある。
なお、上述の第１規定値，第２規定値としては、第１判定部１２４ａおよび第２判定部１２４ｂが導通状態を判定する対象となる光伝搬経路における正常時の導通性能から、少なくとも対象となる光伝搬経路における光接続に支障が生じているか否かを判断できる値となるように設定することができる。
【００８８】
〔Ｂ〕第２実施形態の説明
〔Ｂ１〕本発明の第２実施形態における光伝送システムについて
図６は本発明の第２実施形態にかかる光伝送システム１Ａを示す図である。この図６に示す光伝送システム１Ａは、前述の第１実施形態における光伝送システム１と比較すると、２つのＯＡＤＭ装置（第１，第２ＯＡＤＭ装置２Ａ，３Ａ）が上り又は下り方向の伝送路４−１，４−２を介して縦続接続されている点は同様であるが、第１ＯＡＤＭ装置２Ａにおける導通試験を行なうための構成およびその態様が、前述の第１実施形態の場合と異なっている。尚、図６中においては、下り回線の伝送路４−２を伝搬する光についての分岐挿入処理を行なう構成については図示を省略している。
【００８９】
すなわち、第２実施形態においても、第１ＯＡＤＭ装置２Ａをリングネットワークに組み込んで光伝送システム１Ａを構築する（即ちＯＡＤＭノードとして運用を開始する）にあたって、又は光伝送システム１Ａとして運用中において必要がある場合には適宜に、第１ＯＡＤＭ装置２Ａにおける光伝搬経路の導通状態を試験することができるが、その手法および第１，第２ＯＡＤＭ装置２Ａ，３Ａの構成が第１実施形態の場合と異なっている。
【００９０】
〔Ｂ２〕第１ＯＡＤＭ装置２Ａをなす各チャンネル単位の光伝搬経路についての導通確認を行なうための構成について
ここで、第１，第２ＯＡＤＭ装置２Ａ，３Ａは、前述の第１実施形態における装置２，３と基本的に同様の光部品（符号５〜７，９，１０，１１ａ，１１ｂ，８１〜８ｎ参照）をそなえているが、第１ＯＡＤＭ装置２Ａは第１実施形態の場合とは異なる制御回路１２Ａをそなえ、第２ＯＡＤＭ装置３Ａについても第１実施形態の場合とは異なる制御回路２２Ａをそなえている。以下においては、第１ＯＡＤＭ装置２Ａをなす各チャンネル単位の光伝搬経路についての導通確認を行なうための制御回路１２Ａの構成について、上り方向の光伝搬経路に着目して図７を参照しながら説明する。尚、図６，図７中、図１，図３と同一の符号は、ほぼ同様の部分を示している。
【００９１】
第１ＯＡＤＭ装置２Ａの制御回路１２Ａにおいては、図７に示すように、当該第１ＯＡＤＭ装置２内における上り方向の光伝搬経路の導通状態の試験をするため、前述の図３に示すものと同様の第１制御部１２１および第２制御部１２２をそなえるとともに、パワー均一化制御部１２３Ａおよび判定部１２４Ａをそなえている。又、第２ＯＡＤＭ装置３Ａにおいては、図３に示すものと同様の制御回路２２をそなえている。
【００９２】
ここで、パワー均一化制御部１２３Ａは、第１制御部１２１をなす応答受信部１２１ａにおいて、第２ＯＡＤＭ装置３からの波長多重信号光の送信が停止した旨の応答を受信したことを受けて、後置増幅器１０から出力される自然放出光の各波長成分の光パワーを均一化させるように光減衰部８１〜８ｎを制御するものである。具体的には、パワー均一化制御部１２３Ａは、第２パワーモニタであるＯＳＡ１１ａからのモニタ結果に基づいて、ＯＳＡ１１ａでモニタされる各波長成分の光パワーを均一化するように各光減衰部８１〜８ｎをなす可変減衰器８ａでの減衰量を制御する。
【００９３】
また、判定部１２４Ａは、光パワーモニタをなす第１ＰＤ部（第１光パワーモニタ）８ｂ−１および第２ＰＤ部（第３光パワーモニタ）８ｂ−２におけるモニタ結果に基づいて、各波長成分の光伝搬経路について導通状態を判定するものであり、第１ＰＤ部８ｂ−１からのモニタ結果に基づいて当該第１ＰＤ部８ｂ−１よりも上流側における各波長成分の光伝搬経路について導通状態を判定する第１判定部１２４Ａａと、第２ＰＤ部８ｂ−２からのモニタ結果に基づいて当該第２ＰＤ部８ｂ−２よりも下流側における各波長成分の光伝搬経路について導通状態を判定する第２判定部１２４Ａｂと、をそなえている。
【００９４】
すなわち、第１判定部１２４Ａａは前述の第１実施形態におけるもの（符号１２４ａ）と同様であるが、第２判定部１２４Ａｂは、前述の第１実施形態におけるもの（符号１２４ｂ）とは異なり、第１判定部１２４Ａａにおいて第１ＰＤ部８ｂ−１よりも上流側の各波長成分についての光伝搬経路の導通が全て正常である場合において、第１ＰＤ部８ｂ−１および第２ＰＤ部８ｂ−２からのモニタ結果に基づいて、第２ＰＤ部８ｂ−２よりも下流側における各波長成分の光伝搬経路について導通状態を判定するものである。
【００９５】
具体的には、第２判定部１２４Ａｂは、第２光パワーモニタであるＯＳＡ１１ａでのモニタ結果に基づいて制御される各可変減衰器８ａでの減衰量を、対応する第１，第２ＰＤ部８ｂ−１，８ｂ−２のモニタ結果から測定する。そして、この測定結果をもとに、分岐部１１ｂよりも上流側でかつ第２ＰＤ部８ｂ−２よりも下流側における各波長成分の光伝搬経路について導通状態を判定することができるようになっている。
【００９６】
すなわち、前置増幅器５から出力される自然放出光については、各波長成分間で光パワーが均一化されているので、第１判定部１２４Ａａにおいて第１ＰＤ部８ｂ−１よりも上流側の各波長成分についての光伝搬経路の導通が全て正常である場合には、当該第１ＰＤ部８ｂ−１から可変減衰器８ａに出力される波長成分毎の自然放出光の光パワーについても、均一化されているということができる。
【００９７】
このため、パワー均一化部１２３Ａにおいて、ＯＳＡ１１ａでのモニタ結果に応じて波長成分ごとの減衰量が制御されている状態において、可変減衰器８ａにおける減衰量が規定の値よりも小さい波長成分については、ＯＳＡ１１ａに入力される該当波長成分の光パワーも小さいことになる。従って、この可変減衰器８ａにおける減衰量を対応する第１，第２ＰＤ部８ｂ−１，８ｂ−２からのモニタ結果から得て、その減衰量が規定の値よりも小さい波長成分については、対応する第２ＰＤ部８ｂ−２よりも下流側の光伝搬経路の導通に異常が生じていると判断することができるのである。
【００９８】
〔Ｂ３〕第１ＯＡＤＭ装置２Ａをなす各チャンネル単位の光伝搬経路についての導通試験の動作説明
上述の構成をそなえた第２実施形態における第１ＯＡＤＭ装置２Ａにおいては、例えば図８のフローチャートに示すように、各チャンネル単位の光伝搬経路についての導通試験が行なわれる。
【００９９】
すなわち、前述の第１実施形態の場合と同様に、第２ＯＡＤＭ装置３Ａからの波長多重信号光が入力されない状態において、前置増幅器５から出力させる自然放出光（図６のＡ参照）を用いることにより、各光減衰部８１〜８ｎにおける第１ＰＤ部８ｂ−１よりも上流側の光伝搬経路の導通を試験する（図５のステップＡ１〜Ａ８にそれぞれ相当するステップＢ１〜Ｂ８）。
【０１００】
このとき、前述の第１実施形態の場合と同様、前置増幅器５からの自然放出光は、第１ＯＡＤＭ装置２Ａとして収容可能な波長帯域をカバーし且つほぼ一定のパワー分布とさせることが可能である。従って、この前置増幅器５からの自然放出光について波長分離部６でチャンネル対応の中心波長を持つ波長成分光に分離したもの（図６のＢ参照）を導通試験のためのプローブ光として用いることとすれば、従来必要であった波長可変レーザが不要となるばかりでなく、前置増幅器５に対する励起光供給制御のみで、当初収容を予定していない波長を含む、第１ＯＡＤＭ装置２Ａとして収容可能な全ての波長についての光伝搬経路の導通試験を簡易に行なうことができるようになる。
【０１０１】
また、第１判定部１２４Ａａでは、各第１ＰＤ部８ｂ−１からのモニタ結果に基づいて、各波長成分における光レベルについて予め設定された第１規定値との大小を判定し、いずれかの波長成分がこの第１規定値よりも小さいと判定された場合には、当該第１規定値よりも小さくなった波長成分についての光伝搬経路（前置増幅器５よりも下流で該当第１ＰＤ部８ｂ−１よりも上流の経路）の導通に異常があると判定して、その旨をチャンネル番号とともに導通試験の結果として通知する（ステップＢ７のＮＯルートからステップＢ８）。
【０１０２】
すなわち、第１ＰＤ部８ｂ−１における光レベルが規定値以上にないチャンネルについては、前置増幅器５から第１ＰＤ部８ｂ−１の間になんらかの損失の大きな部分が存在する判断し、その旨を通知し導通試験の終了とする。
さらに、各波長成分における光レベルが全て上述の第１規定値以上であると判定された場合には、続いてパワー均一化制御部１２３Ａによる光減衰部８１〜８ｎに対する制御を開始する（ステップＢ９〜ステップＢ１２による制御ループ）。
【０１０３】
すなわち、第１ＯＡＤＭ装置２ＡのＯＳＡ１１ａでは、後置増幅器１０の出力をモニタすることにより、各チャンネルの光パワー情報を取得し、取得した各チャンネルの光パワー情報をモニタ結果としてパワー均一化制御部１２３Ａに出力する（ステップＢ９）。即ち、多重部９で波長多重され後置増幅器１０で増幅された、プローブ光としての自然放出光について、各波長成分の光パワーをＯＳＡ１１ａで取得する。
【０１０４】
そして、パワー均一化制御部１２３Ａにおいては、当該第１ＯＡＤＭ装置２Ａにおいて収容することとなっていないチャンネルについての波長成分を含む全てのチャンネルの光成分を第３規定値以上とし（ステップＢ１０）、かつ、全てのチャンネル間のレベル偏差が第４規定値以内となるように（ステップＢ１１）、光減衰部８１〜８ｎの可変減衰器８ａを制御することにより、後置増幅器１０から出力される全てのチャンネルのプローブ光成分のパワーを均一化させる（ステップＢ１２、図６のＣ参照）。
【０１０５】
そして、上述のパワー均一化制御部１２３Ａにより光減衰部８１〜８ｎを制御することによって、全てのチャンネルの光成分を第３規定値以上とし、かつ、全てのチャンネル間のレベル偏差が第４規定値以内となった場合には、続いて、第２判定部１２４Ａｂにおいて、第２ＰＤ部８ｂ−２よりも下流側の光伝搬経路についての導通状態を判定する（ステップＢ１３〜ステップＢ１６）。
【０１０６】
すなわち、第２判定部１２４Ａｂにおいて、各光減衰部８１〜８ｎをなす第１ＰＤ部８ｂ−１からの光パワーのモニタ結果とともに、第２ＰＤ部８ｂ−２からの光パワーのモニタ結果を収集し、これらのモニタ結果から、対応する光減衰部８１〜８ｎの可変減衰器８ａによる減衰量を測定する（ステップＢ１３、図６のＤ参照）。そして、光減衰部８１〜８ｎをなす各可変減衰器８ａの減衰量についての測定結果と、第５規定値との大小を比較することにより、分岐部１１ｂよりも上流側でかつ第２ＰＤ部８ｂ−２よりも下流側における各波長成分の光伝搬経路について導通状態を判定する（ステップＢ１４）。
【０１０７】
ここで、第２判定部１２４Ａｂにおいては、減衰量が第５規定値よりも小さくなるようなチャンネルに対応する可変減衰器８ａがある場合には、当該チャンネルについての分岐部１１ｂよりも上流側でかつ第２ＰＤ部８ｂ−２よりも下流側における光伝搬経路に異常が生じていると判定し、その旨をチャンネル番号とともに通知する（ステップＢ１４のＮＯルートからステップＢ１５）。
【０１０８】
特に、第２ＰＤ部８ｂ−２よりも下流側で分岐部１１ｂよりも上流側での光伝搬経路において損失が大きなものを特定することができる。光伝搬経路における損失は光コネクタの接合状態の不良が原因となって増大することが多いので、特定された光伝搬経路についての光コネクタ等を点検することで、導通状態の異常を効率的に復旧させることができるようになる（図６のＥ参照）。
【０１０９】
また、いずれのチャンネルに対応する可変減衰器８ａの減衰量が第５規定値以上となっている場合には、全てのチャンネルについての分岐部１１ｂよりも上流側でかつ第２ＰＤ部８ｂ−２よりも下流側における光伝搬経路は正常であると判定し、その旨を通知する（ステップＢ１４のＹＥＳルートからステップＢ１６）。
このように、本発明の第２実施形態においても、制御回路１２ＡにおいてＡＳＥ光をプローブ光として使用すべく制御しているので、初期運用時に使用しないチャンネルを含め、収容可能な全てのチャンネルについての通信用に設けられている光コンポーネントを通じた光伝搬経路に関する導通試験を、従来技術の場合よりも容易に行なうことができるようにすることができる利点がある。
【０１１０】
また、可変波長レーザ等を導通試験のために準備する必要がなくなるので、収容可能な全てのチャンネルについての光伝搬経路の導通試験を、従来技術の場合よりも短時間でかつ低コストで行なうことができる利点もある。
なお、上述の第３〜第５規定値としても、少なくとも第２ＰＤ部８ｂ−２および分岐部１１ｂ間の光伝搬経路が正常な導通状態である場合において有する損失分を差し引いても、可変減衰器８ａの減衰量によって、少なくとも対象となる光伝搬経路における光接続に支障が生じているか否かを判断できる値となるように設定される。
【０１１１】
〔Ｃ〕その他
上述した実施形態にかかわらず、本発明の趣旨を逸脱しない範囲において種々変形して実施することが可能である。
たとえば、上述の第１実施形態において、図９に示すように、光クロスコネクト部７をスルー設定とせずに、ドロップ・アド設定とするとともに、ドロップポートＤＰと対応アドポートＡＰとを折り返し接続することにより、伝送入力ポートとドロップポートとの間の導通状態とともに、アドポートＡＰと伝送出力ポートとの間の導通状態についても、併せて試験することができるようになる。
【０１１２】
また、このようなドロップポートＤＰおよびアドポートＡＰの導通試験としては、例えば当該第１ＯＡＤＭ装置２で導入することとなるチャンネルについてのみ試験することとしてもよいし、導入する予定のないチャンネルを含めて全てのチャンネルについて試験することもできる。
すなわち、導通試験を行なうにあたっては、第２制御部１２２による光クロスコネクト部７の設定制御によって、波長分離部６で波長分離した波長毎のプローブ光について伝送入力ポートを通じて入力されて、分岐ポート（ドロップポート）ＤＰ出力するとともに、分岐処理によりドロップポートＤＰを通じて出力される波長成分については、そのまま折り返して挿入処理により挿入ポート（アドポート）ＡＰから伝送出力ポートを通じて出力するようにする。
【０１１３】
換言すれば、第２制御部１２２は、第１制御部１２１での制御により前置増幅器５から出力された自然放出光の各波長成分については、伝送入力ポートを通じて入力され、ドロップポートＤＰでの分岐およびアドポートＡＰでの挿入を介し、伝送出力ポートを通じて出力するように、光クロスコネクト部７を制御する。
これにより、第１判定部１２４ａにおいては、前置増幅器５よりも下流側で第１ＰＤ部８ｂ−１よりも上流側の光伝搬経路の導通状態について、光クロスコネクト部７のドロップポートＤＰおよびアドポートＡＰの導通も含めて試験することができるようになる。
【０１１４】
同様に、第２実施形態においても、図１０に示すように、第１ＯＡＤＭ装置２Ａの第１判定部１２４Ａａにおいては、前置増幅器５よりも下流側で第１ＰＤ部８ｂ−１よりも上流側の光伝搬経路の導通状態について、光クロスコネクト部７のドロップポートＤＰおよびアドポートＡＰの導通も含めて試験することができるようになる。
この場合においても、第２制御部１２２は、第１制御部１２１での制御により前置増幅器５から出力された自然放出光の各波長成分については、伝送入力ポートを通じて入力され、ドロップポートＤＰでの分岐およびアドポートＡＰでの挿入を介し、伝送出力ポートを通じて出力するように、光クロスコネクト部７を制御することとする。
【０１１５】
また、変形例として、第１，第２実施形態における第１ＯＡＤＭ装置２，２Ａの第１判定部１２４ａ，１２４Ａａおよび第２判定部１２４ｂ，１２４Ａｂにおいて、導通状態を判定する基準となる規定値（第１規定値および第５規定値）を、それぞれ光伝搬経路の損失度合いに応じて段階的に設定することもできる。これにより、判定部１２４，１２４Ａにおいては、運用を継続することによる将来の経年劣化などに起因する損失増加に対してどれほどの余裕があるかについても定量的に判定することが可能となる。
【０１１６】
前述の図１１に示すようなＯＡＤＭノード１００においては、通常ＶＯＡ１０４をフィードバック制御することで、ポストアンプ１０６からの出力における各チャンネルの光パワーが所要のレベルになるよう制御されている。このため、ノード１００内のあるチャンネルの経路に損失が異常に大きな部分があったとしても、ノード出力をモニタするのみでは、経路損失に対するノード１００内の光レベルの許容度が極めて少ないような場合でも、そのような経路損失の異常について検出することができない。
【０１１７】
これに対して、本発明によれば、上述のごとく経路損失の度合いを含めて導通確認を行なうことができるので、将来の経年劣化に起因した損失増加を見越して光部品の保守作業を行なうことができる。
さらに、他の変形例として、上述の実施形態においては、第１ＯＡＤＭ装置２，２Ａと第２ＯＡＤＭ装置３，３Ａとの間で波長多重信号光を送信することを停止するための連絡のために、監視制御チャンネルを用いているが、本発明によれば、これ以外の構成によって連絡を行なうこととしてもよい。
【０１１８】
また、別の変形例として、上述の実施形態においては、ＯＡＤＭ装置からなる光伝送システムにおいて、当該ＯＡＤＭ装置内の光伝搬経路の導通試験を行なう構成について詳述しているが、本発明によれば、少なくとも前置増幅器とともに、波長多重信号光を分離させて伝搬させるような経路をそなえた光伝送装置であれば、波長多重数の増大によって損失発生原因となる光コネクタ数も増えるので、本発明を適用することは可能である。
【０１１９】
この場合においては、少なくとも前置増幅器および前置増幅器で増幅された光を波長分離する波長分離部をそなえた光伝送装置において、波長多重信号光が入力されない状態において、波長多重信号光の波長帯を全て含む自然放出光を波長分離部へ出力させるように前置増幅器を制御する前置増幅器制御部と、波長分離部で波長分離された前置増幅器からの自然放出光について、光パワーをモニタするパワーモニタと、パワーモニタにおけるモニタ結果に基づいて、波長分離部で分離された各波長成分の光伝搬経路について導通状態を判定する判定部と、をそなえるように構成し、前置増幅器制御部の制御によって波長多重信号光が入力されない状態において、前置増幅器から自然放出光を出力させるとともに、前置増幅器から出力された自然放出光について該波長分離部において波長毎に分離させ、波長分離部で波長分離された自然放出光が伝搬する光経路上において、該分離された波長ごとの光パワーをパワーモニタでモニタするとともに、判定部で、このモニタの結果に基づいて、波長分離部で分離された自然放出光が伝搬する光経路の導通状態を判定する。
【０１２０】
また、上述の実施形態においては、ＯＡＤＭ装置において導通試験のための機能を追加する構成について詳述しているが、本発明によれば、例えば、上述の第１制御部１２１，第２制御部１２２における導通試験用の機能について分離するとともに、少なくとも分離されたこれらの機能部と、ＯＳＡ１１ａおよび判定部１２４（１２４Ａ）を一体として、前述の図１１に示すような可変減衰機能を有するＯＡＤＭ装置等の導通試験を行なうための導通試験装置として構成することも、もちろん可能である。
【０１２１】
〔Ｄ〕付記
（付記１）
伝送路を通じて入力される波長多重信号光について前置増幅する前置増幅器と、該前置増幅器で増幅された波長多重信号光について波長毎に分離する波長分離部と、を有する光伝送装置であって、
該波長多重信号光が入力されない状態において、該波長多重信号光の波長帯を全て含む自然放出光を該波長分離部へ出力させるように該前置増幅器を制御する前置増幅器制御部と、
該波長分離部で波長分離された該前置増幅器からの自然放出光について、光パワーをモニタする光パワーモニタと、
該光パワーモニタにおけるモニタ結果に基づいて、該波長分離部で分離された各波長成分の光伝搬経路について導通状態を判定する判定部と、をそなえて構成されたことを特徴とする光伝送装置。
【０１２２】
（付記２）
入力伝送路を通じて入力される波長多重信号光について前置増幅する前置増幅器と、該前置増幅器からの波長多重信号光について波長分離する波長分離部と、該波長分離部で波長分離した波長毎の信号光についての分岐挿入処理を行なう分岐挿入処理部と、該分岐挿入処理部よりも下流側に設けられ、該分岐挿入処理が行なわれ出力伝送路を通じて出力すべき波長毎の信号光を波長多重する多重部と、をそなえてなる光伝送装置であって、
該波長多重信号光が入力されない状態において、該分岐挿入処理部において出力方路切替が行なわれる対象の波長帯を全て含む自然放出光を出力させるように該前置増幅器を制御する第１制御部と、
該第１制御部での制御により該前置増幅器から出力され該波長分離部で波長分離された自然放出光の各波長成分についてはそのまま該多重部へ向けて出力されるように該分岐挿入処理部を制御する第２制御部と、
該第２制御部での制御により該分岐挿入処理部から出力された自然放出光における各波長成分の光パワーを検出する光パワーモニタと、
該光パワーモニタにおけるモニタ結果に基づいて、該光パワーモニタよりも上流側における各波長成分の光伝搬経路について導通状態を判定する判定部と、をそなえて構成されたことを特徴とする光伝送装置。
【０１２３】
（付記３）
該分岐挿入処理部からの各波長成分の光パワーを可変減衰させる可変減衰器をそなえるとともに、
該光パワーモニタが、
該分岐挿入処理部から出力された自然放出光における各波長成分の光パワーを、該可変減衰器よりも上流側でモニタする第１光パワーモニタと、
該分岐挿入処理部から出力された自然放出光における各波長成分の光パワーを、該多重部において波長多重された自然放出光からモニタする第２光パワーモニタと、
該多重部よりも上流側において該可変減衰器で減衰された各波長成分の光パワーについてモニタする第３パワーモニタと、をそなえ、
かつ、該第１および第３パワーモニタでのモニタ結果に基づいて該可変減衰器での減衰量を各波長成分について一定とするように該可変減衰器を制御する減衰量一定制御部をそなえるとともに、
該判定部が、
該第１光パワーモニタにおけるモニタ結果に基づいて、該第１光パワーモニタよりも上流側における各波長成分の光伝搬経路について導通状態を判定する第１判定部と、
第２光パワーモニタにおけるモニタ結果に基づいて、該第２光パワーモニタよりも上流側でかつ該第３パワーモニタよりも下流側における各波長成分の光伝搬経路について導通状態を判定する第２判定部と、をそなえたことを特徴とする、付記２記載の光伝送装置。
【０１２４】
（付記４）
該分岐挿入処理部からの各波長成分の光パワーを可変減衰させる可変減衰器をそなえるとともに、
該光パワーモニタが、
該分岐挿入処理部から出力された自然放出光における各波長成分の光パワーを、該可変減衰器よりも上流側でモニタする第１光パワーモニタと、
該分岐挿入処理部から出力された自然放出光における各波長成分の光パワーを、該多重部よりも下流側でモニタする第２光パワーモニタと、
該多重部よりも上流側において該可変減衰器で減衰された各波長成分の光パワーについてモニタする第３パワーモニタと、をそなえ、
かつ、該第２光パワーモニタでのモニタ結果に基づいて、該第２光パワーモニタでモニタされる各波長成分の光パワーを均一化するように該可変減衰器での減衰量を制御するパワー均一化制御部をそなえるとともに、
該判定部が、
該第１光パワーモニタにおけるモニタ結果に基づいて、該第１光パワーモニタよりも上流側における各波長成分の光伝搬経路について導通状態を判定する第１判定部と、
該第２光パワーモニタでのモニタ結果に基づいて制御される該可変減衰器での減衰量を、該第１および第３パワーモニタでのモニタ結果から測定し、該測定結果をもとに、該第２光パワーモニタよりも上流側でかつ該第３光パワーモニタよりも下流側における各波長成分の光伝搬経路について導通状態を判定する第２判定部と、をそなえたことを特徴とする、付記２記載の光伝送装置。
【０１２５】
（付記５）
該分岐挿入処理部が、該波長分離部で波長分離した波長毎の信号光について伝送入力ポートを通じて入力されて、それぞれ、該多重部へ通じる伝送出力ポートか又は分岐ポートのいずれか一方に選択的に出力するとともに、分岐処理により該分岐ポートを通じて出力される波長成分については、挿入処理により挿入ポートからの信号光を該伝送出力ポートを通じて出力すべく構成され、
該第２制御部は、該第１制御部での制御により該前置増幅器から出力された自然放出光の各波長成分については、該伝送入力ポートを通じて入力され、該伝送出力ポートを通じて出力するように該分岐挿入処理部を制御することを特徴とする、付記２記載の光伝送装置。
【０１２６】
（付記６）
該分岐ポートと該挿入ポートとを折り返し接続するとともに、
該第２制御部は、該第１制御部での制御により該前置増幅器から出力された自然放出光の各波長成分については、該伝送入力ポートを通じて入力され、該分岐ポートでの分岐および挿入ポートでの挿入を介し、該伝送出力ポートを通じて出力するように該分岐挿入処理部を制御することを特徴とする、付記５記載の光伝送装置。
【０１２７】
（付記７）
該前置増幅器が、励起光により励起された光ファイバにより入力光を増幅しうるファイバ増幅器により構成され、
該第１制御部が、
該波長多重信号光が入力されない状態において、該励起光を、該ファイバ増幅器をなす光ファイバに供給制御することにより、該自然放出光を発生させる励起光供給制御部をそなえて構成されたことを特徴とする、付記２記載の光伝送装置。
【０１２８】
（付記８）
該第１制御部が、
該励起光供給制御部により該自然放出光を発生させる際に、該入力伝送路を介して接続される隣接光伝送装置に対し、該波長多重信号光の該入力伝送路を通じた送信の停止を要求する送信停止要求部と、
該送信停止要求部からの送信停止要求に対して、該隣接光伝送装置からの該波長多重信号光についての送信停止を完了した旨の応答を受ける応答受信部と、
該励起光供給制御部は、該応答受信部で該応答を受けると、該励起光の供給制御を行なうように構成されたことを特徴とする、付記７記載の光伝送装置。
【０１２９】
（付記９）
伝送路を通じて入力される波長多重信号光について前置増幅する前置増幅器と、該前置増幅器で増幅された波長多重信号光について波長毎に分離する波長分離部と、を有する光伝送装置の導通試験方法であって、
該波長多重信号光が入力されない状態において、該前置増幅器から自然放出光を出力させ、
該前置増幅器から出力された自然放出光について該波長分離部において波長毎に分離させ、
該波長分離部で波長分離された自然放出光が伝搬する光経路上において、該分離された波長ごとの光パワーをモニタするとともに、
該モニタの結果に基づいて、該波長分離部で分離された自然放出光が伝搬する光経路の導通状態を判定することを特徴とする、光伝送装置の導通試験方法。
【０１３０】
（付記１０）
入力伝送路を通じて入力される波長多重信号光について前置増幅する前置増幅器と、該前置増幅器からの波長多重信号光について波長分離する波長分離部と、該波長分離部で波長分離した波長毎の信号光についての分岐挿入処理を行なう分岐挿入処理部と、該分岐挿入処理部よりも下流側に設けられ、該分岐挿入処理が行なわれ出力伝送路を通じて出力すべき波長毎の信号光を波長多重する多重部と、をそなえてなる光伝送装置の導通試験方法であって、
該波長多重信号光が入力されない状態において、該分岐挿入処理部において出力方路切替が行なわれる対象の波長帯を全て含む自然放出光を出力させるように該前置増幅器を制御し、
該前置増幅器から出力され該波長分離部で波長分離された自然放出光の各波長成分についてはそのまま該多重部に向けて出力されるように該分岐挿入処理部を制御し、
該分岐挿入処理部から出力された自然放出光における各波長成分の光パワーをモニタし、
該自然放出光における各波長成分の光パワーのモニタ結果に基づいて、当該光パワーをモニタする箇所よりも上流側における各波長成分の光伝搬経路について導通状態を判定することを特徴とする、光伝送装置の導通試験方法。
【０１３１】
（付記１１）
該分岐挿入処理部から出力された自然放出光における各波長成分の光パワーを、該多重部よりも上流側に設けられた第１光パワーモニタでモニタし、
該第１光パワーモニタにおけるモニタ結果に基づいて、該第１光パワーモニタよりも上流側における各波長成分の光伝搬経路について導通状態を判定し、
該第１光パワーモニタにおけるモニタ結果に基づく上記導通状態の判定の結果、正常な導通状態であると判定された場合に、該分岐挿入処理部から出力された自然放出光における各波長成分の光パワーを、該多重部よりも下流側に設けられた第２光パワーモニタでモニタし、
該第２光パワーモニタにおけるモニタ結果に基づいて、該第２光パワーモニタよりも上流側でかつ該第１光パワーモニタよりも下流側における各波長成分の光伝搬経路について導通状態を判定することを特徴とする、付記１０記載の光伝送装置の導通試験方法。
【０１３２】
（付記１２）
入力伝送路を通じて入力される波長多重信号光について前置増幅する前置増幅器と、該前置増幅器からの波長多重信号光について波長分離する波長分離部と、該波長分離部で波長分離した波長毎の信号光についての分岐挿入処理を行なう分岐挿入処理部と、該分岐挿入処理部よりも下流側に設けられ、該分岐挿入処理が行なわれ伝送路を通じて出力すべき波長毎の信号光を波長多重する多重部と、をそなえてなる第１光伝送装置が、該入力伝送路を通じて第２光伝送装置に接続された光伝送システムであって、
該第１光伝送装置が、
該第２光伝送装置から該波長多重信号光が入力されない状態において、該分岐挿入処理部において出力方路切替が行なわれる対象の波長帯を全て含む自然放出光を出力させるように該前置増幅器を制御する第１制御部と、
該第１制御部での制御により該前置増幅器から出力され該波長分離部で波長分離された自然放出光の各波長成分についてはそのまま該多重部へ向けて出力されるように該分岐挿入処理部を制御する第２制御部と、
該第２制御部での制御により該分岐挿入処理部から出力された自然放出光における各波長成分の光パワーを検出する光パワーモニタと、
該光パワーモニタにおけるモニタ結果に基づいて、該光パワーモニタよりも上流側における各波長成分の光伝搬経路について導通状態を判定する判定部と、をそなえて構成されたことを特徴とする光伝送システム。
【０１３３】
（付記１３）
該前置増幅器が、励起光により励起された光ファイバにより入力光を増幅しうるファイバ増幅器により構成され、
該第１光伝送装置の該第１制御部が、
該自然放出光発生制御部により該自然放出光を発生させる際に、該入力伝送路を介して接続される隣接光伝送装置に対し、該波長多重信号光の該入力伝送路を通じた送信を停止を要求する送信停止要求部と、
該送信停止要求部からの送信停止要求に対して、該第２光伝送装置からの該波長多重信号光についての送信停止を完了した旨の応答を受ける応答受信部と、
該応答受信部で該応答を受けると、該励起光を、該ファイバ増幅器をなす光ファイバに供給制御することにより、該自然放出光を発生させる励起光供給制御部と、をそなえるとともに、
該第２光伝送装置が、
該送信停止要求部からの該要求を受ける停止要求受信部と、
該停止要求受信部で受信した該要求に従って、該第１光伝送装置への該波長多重信号光の送信を停止処理する停止処理部と、
該停止処理部において該波長多重信号光の送信停止が完了すると、その旨を応答として該第１光伝送装置へ送信する応答送信部と、
をそなえて構成されたことを特徴とする、付記１２記載の光伝送システム。
【図面の簡単な説明】
【０１３４】
【図１】本発明の第１実施形態にかかる光伝送システムを示す図である。
【図２】本発明の第１実施形態における第１ＰＤ部および第２ＰＤ部を示す図である。
【図３】本発明の第１実施形態における光伝送システムをなす第１ＯＡＤＭ装置における光伝搬経路の導通状態を試験するための構成について、上り方向の光伝搬経路に着目して示す図である。
【図４】本発明の第１実施形態における自然放出光の波長帯域について示す図である。
【図５】本発明の第１実施形態における第１ＯＡＤＭ装置をなす各チャンネル単位の光伝搬経路についての導通試験の動作を説明するためのフローチャートである。
【図６】本発明の第２実施形態にかかる光伝送システムを示す図である。
【図７】本発明の第２実施形態における光伝送システムをなす第１ＯＡＤＭ装置における光伝搬経路の導通状態を試験するための構成について、上り方向の光伝搬経路に着目して示す図である。
【図８】本発明の第２実施形態における第１ＯＡＤＭ装置をなす各チャンネル単位の光伝搬経路についての導通試験の動作を説明するためのフローチャートである。
【図９】本発明の第１実施形態の変形例を示す図である。
【図１０】本発明の第２実施形態の変形例を示す図である。
【図１１】ＷＤＭネットワークに使用される一般的なＯＡＤＭノードの構成を示す図である。
【符号の説明】
【０１３５】
１    光伝送システム
２，２Ａ    第１ＯＡＤＭ装置
３，３Ａ    第２ＯＡＤＭ装置
４−１，４−２    伝送路
５    前置増幅器
６    波長分離部
７    光クロスコネクト部（分岐挿入処理部）
８１〜８ｎ    光減衰部
８ａ    可変減衰器
８ｂ−１    第１ＰＤ部（第１光パワーモニタ）
８ｂ−２    第２ＰＤ部（第２光パワーモニタ）
８ｂａ    光分岐部
８ｂｂ    光／電気変換部
９    多重部
１０    後置増幅器
１１ａ    光スペクトルアナライザ（第２光パワーモニタ）
１２，１２Ａ，２２，２２Ａ    制御回路
１２１    第１制御部
１２１ａ    応答受信部
１２１ｂ    送信停止要求部
１２１ｃ    励起光供給制御部
１２２    第２制御部
１２３    減衰量一定制御部
１２３Ａ    パワー均一化制御部
１２４，１２４Ａ    判定部
１２４ａ，１２４Ａａ    第１判定部
１２４ｂ，１２４Ａｂ    第２判定部
１３ａ，２３ａ    電気／光変換部
１３ｃ，２３ｃ    光／電気変換部
１３ｂ    分岐部
２３ｂ    合波部
１００    ＯＡＤＭノード
１０１    前置増幅器
１０２    光デマルチプレクサ
１０３    光クロスコネクト部
１０４    可変減衰器
１０５    光マルチプレクサ
１０６    後置増幅器
１０７，１０８    伝送路
【図１】
2006333136.tif 000003
【図２】
2006333136.tif 000004
【図３】
2006333136.tif 000005
【図４】
2006333136.tif 000006
【図５】
2006333136.tif 000007
【図６】
2006333136.tif 000008
【図７】
2006333136.tif 000009
【図８】
2006333136.tif 000010
【図９】
2006333136.tif 000011
【図１０】
2006333136.tif 000012
【図１１】
2006333136.tif 000013